(57)【特許請求の範囲】
【請求項１】
真空脱水装置によって排煙脱硫装置からの石膏スラリを吸引脱水するようにしたベルトフィルタにおいて、下端が石膏ケーキの上層に延長する矩形状のせきを、上記ベルトフィルタの幅方向に亘って懸架し、かつ上記ベルトフィルタの長手方向に複数段設け、石膏ケーキの表面に形成される微粒子層をかき乱すようにしたことを特徴とするベルトフィルタ。
【請求項２】
請求項１のベルトフィルタにおいて、温水、蒸気、又は温水及び蒸気をベルトフィルタ上の石膏スラリ又は石膏ケーキに供給する洗浄水供給装置を設けたことを特徴とするベルトフィルタ。
【発明の詳細な説明】
【０００１】
【発明の属する技術分野】
本発明は、排煙脱硫装置で石膏スラリの脱水に用いられるベルトフィルタに関する。
【０００２】
【従来の技術】
排煙脱硫装置に用いられる石膏スラリ用脱水機は、設備費、運転費、保守費及び脱水性能等の観点で、遠心分離機方式からベルトフィルタによるバスケット形真空吸引脱水方式に移行しつつある。
しかし、スラリ中に含まれる微細な不純物、例えば未燃カーボンや、フッ化カルシウム、シリカ、水酸化アルミニウム、水酸化鉄からなる微粒子ダストが、図２に示すように脱水ケーキ２０１の表面で微粒子層２０２を１〜数ｍｍ程度形成し、これによって真空吸引する際の通気性を悪化させ、脱水性能の低下を引き起こすこととなっていた。
【０００３】
【発明が解決しようとする課題】
本発明はこのような現状に鑑み、石膏ケーキの微粒子層が形成されても、脱水性能を確保するようにしたベルトフィルタを提供することを目的とする。
【０００４】
【課題を解決するための手段】
上記目的を達成するため、請求項１に記載された発明は、真空脱水装置によって排煙脱硫装置からの石膏スラリを吸引脱水するようにしたベルトフィルタにおいて、下端が石膏ケーキの上層に延長する矩形状のせきを、上記ベルトフィルタの幅方向に亘って懸架し、かつベルトフィルタの長手方向に複数段設け、石膏ケーキの表面に形成される微粒子層をかき乱すようにしたことを特徴とする。
請求項２に記載された発明は、請求項１のベルトフィルタにおいて、温水、蒸気、又は温水及び蒸気をベルトフィルタ上の石膏スラリ又は石膏ケーキに供給する洗浄水供給装置を設けたことを特徴とする。
【０００５】
【発明の実施の形態】
以下に添付図面に示した実施の形態を参照して、本発明にかかるベルトフィルタを説明する。
図１に示すように、本実施の形態にかかるベルトフィルタ１は、石膏スラリ２を供給ヘッダ３より供給することとし、真空脱水装置を構成する要素として、第１真空ボックス部４と第２真空ボックス部５とを備える。真空ボックス部４、５の上面には、これに接して移動巡回する搬送用のゴムベルト６が設けられている。このゴムベルト６は、移動巡回するベルトフィルタ（ろ布）本体７を支持している。ベルトフィルタ本体７は、通気性を有し、石膏スラリ２及び石膏ケーキ８を保持する適度の強度を備えている。
さらに、本実施の形態は、洗浄水供給装置９を備える。この装置９は高品位（純度）の石膏を得るために石膏スラリ２に含まれる高濃度の塩素イオン等の塩類を洗い流すためのものである。
【０００６】
さらに、本実施の形態にかかるベルトフィルタ１は、せき１０を有する。このせき１０は、石膏ケーキ８の表面に形成される微粒子層をかき乱すための手段である。せき１０は、下端が石膏ケーキ８の上層に延長しており、ベルトフィルタ１の長手方向に３箇所に設けられている。なおここで、「下端が石膏ケーキ８の上層に延長する。」とは、せき１０が上下方向に十分な長さを持っており、その下端が石膏ケーキ８の微粒子層をかき乱し、脱水性能を確保できるに足りることを意味する。
せき１０はラバー、プラスチック、竹、木材、金属等によって構成することができるが、好ましくはラバーすなわち合成ゴム製である。せき１０は矩形状の形状であり、図示しない支持手段によってベルトフィルタ１の幅方向に亘って懸架されている。
【０００７】
上記構成の図１の実施の形態において、石膏スラリ２は、供給ヘッダ３からベルトフィルタ本体７上に供給され、第１真空ボックス部４で真空吸引ろ過される。真空吸引ろ過して得られたベルトフィルタ本体７上の石膏ケーキ８はゴムベルト６により第２真空ボックス部５へ送られる。この時、洗浄水供給装置９より石膏ケーキ８上に洗浄液が供給される。第２真空ボックス部５で洗浄水を真空吸引ろ過した後、さらに所定時間真空吸引して石膏ケーキ８中の水分を脱水する。脱水された石膏ケーキ８はゴムベルト６の動きにより回収コンベア１１側へ送られて、ベルトフィルタ本体７から剥離してこの回収コンベア１１に回収される。石膏ケーキ８を剥離したベルトフィルタ本体７はベルトフィルタ洗浄装置１２で洗浄された後再度スラリ供給部へ送られる。
上記洗浄水供給装置９より石膏ケーキ８上に供給される洗浄水は、石膏スラリと同温又は好ましくはスラリ温度＋１０℃とする。これによって石膏ケーキ８内の間隙水を昇温させ、間隙水の粘度及び表面張力を小さくして粒子間移動抵抗を下げ通気性を良くするためである。
【０００８】
一方、上記せき１０の下端は石膏ケーキ８の上層に延長しており、形成される微粒子層を含めて石膏ケーキ８の上層をかき乱す。これによって、石膏ケーキ８の通気性を保ち、効率的に脱水を行うことができる。また、このせき１０は、水相を保持する役割も果たす。すなわち、微粒子層が形成されるに到った位置において、表層に浮いてくる水をせき止め、同時に微粒子層をかき乱して真空吸引によって水を吸い出させることができ、水相がケーキ８表面に排出されることを防ぐことができる。
本実施の形態では、せき１０を複数設けているので、かき乱し効果が大きく、かつ石膏スラリ２の性状が変化し、微粒子層の形成される位置（水切れ位置）が変化しても、いずれかのせき１０で対応することができ、確実にこれをかき乱し、脱水性能を確保することができる。
【０００９】
他の実施の形態
上記実施の形態では、第１の真空部及び第２の真空部を設けたが、第１の真空部を省略し、この部分では、自然沈降のみを行うようにすることもできる。
上記図１の実施の形態では、せき１０を３箇所設けている。しかし、本発明の目的を達成するためには、微粒子層が形成される位置に複数段あれば良い。また、図１の実施の形態よりも数を増加させることもできる。さらに、微粒子層の形成される位置の相違に応じて設定される位置を可変に構成することもできる。
なお、より厳密に言うと、せき１０の効果は、脱水により水が切れる直前（微粒子層が形成される直前）がもっとも効果的である。このため、固定式のせきの場合には複数段設ける。これは、図１の実施の形態について述べたごとく、石膏の組成により水切れ位置が変化するためである。また、上記図１の実施の形態ような固定式のものでなく、可動式のせきとすることもできる。この場合、厚みセンサー等で水切れ位置を検知して位置を自動的に変える機能を持たせる。
もちろん、微粒子層２０２が形成された後の位置にせき１０を設けても効果は期待できるが、せき１０の材質を比較的硬い材質であることが必要となる。これによって石膏が付着したり、せき１０がろ布（ベルトフィルタ本体）にあたってこれを破るといった等の問題を生じる可能性がある。
【００１０】
洗浄水供給装置より供給される洗浄水は、蒸気としても良い。要するに、間隙水の粘度及び表面張力を低下させる程度に高温であれば良い。温水と蒸気を併用することもできる。
上記実施の形態では、石膏スラリをかき乱すために、ラバー等のせき１０を採用した。しかし、金属製の熊手等であって、微粒子層をかき乱すことのできる手段であれば本発明に採用することができる。また、複数の種類の手段を併用することもできる。
【００１１】
【発明の効果】
以上説明したところから明かなように、本発明によれば、石膏ケーキの微粒子層が形成されても、脱水性能を確保するようにしたベルトフィルタが提供される。
また、せきを採用する実施の形態では、微粒子層が形成されるに到った位置において、表層に浮いてくる水をせき止め、同時に微粒子層をかき乱して真空吸引によって水を吸い出させることができ、水相がケーキ表面に排出されることを防ぐことができる。
またさらに、せきを複数段設けているので、かき乱し効果が大きく、かつ石膏スラリの性状が変化し、微粒子層の形成される位置が変化しても、いずれかのせきで対応することができ、確実にこれをかき乱し、脱水性能を確保することができる。
【図面の簡単な説明】
【図１】本発明にかかるベルトフィルタの一実施の形態を説明する断面図である。
【図２】石膏ケーキに形成される微粒子層を説明する断面図である。
【符号の説明】
１  ベルトフィルタ
２  石膏スラリ
３  供給ヘッダ
４  第１真空ボックス部
５  第２真空ボックス部
６  ゴムベルト
７  ベルトフィルタ本体
８  石膏ケーキ
９  洗浄水供給装置
１０  せき
１１  回収コンベア
１２  ベルトフィルタ洗浄装置
【図１】
0003600417.tif 000002
【図２】
0003600417.tif 000003